(57)【特許請求の範囲】
【請求項１】
フェース面及びそれと反対側のバック面を有するヘッド本体と、該ヘッド本体に連なるホゼルとを備えたアイアン型のゴルフクラブヘッドにおいて、
該ホゼルは、ホゼル下部と、該ホゼル下部と異なる方向に延在するホゼル中間部と、該ホゼル中間部と異なる方向に延在するホゼル上部を有し、
該ホゼル上部にホゼル孔が設けられ、
前記ホゼル上部の外表面は円筒形であり、前記ホゼル上部の外表面を前記ホゼル孔の孔軸心線の軸方向に沿って延長した円筒形の延長領域内に前記ゴルフクラブヘッドの重心が位置しており、
前記ホゼルは前記ヘッド本体の前記バック面に連なっており、
前記ホゼルは前記ヘッド本体のトップブレード上面に接しており、
前記ヘッド本体は、トウ・ヒール方向において前記ホゼルよりもヒール側に位置する部分を含み、
前記フェース面にトウ・ヒール方向に延在したスコアラインが設けられており、
ソール部側の複数本のスコアラインは、ヒール側の端部がトップ・ソール方向において揃っていると共に、トウ側の端部がトップ・ソール方向において揃っており、該ソール部側の複数本のスコアラインのトウ・ヒール方向の中心を通り、前記フェース面と垂直な面内に前記ヘッド本体の前記重心が位置することを特徴とするアイアン型ゴルフクラブヘッド。
【請求項２】
請求項１において、前記ホゼル下部及びホゼル中間部は、トウ側に傾斜した角度で上方に延在するトウ側傾斜部を含むことを特徴とするアイアン型ゴルフクラブヘッド。
【請求項３】
請求項１又は２において、前記ホゼル孔の孔軸心線の延長線と前記ヘッド本体の前記重心との最短距離が１０ｍｍ以下であることを特徴とするアイアン型ゴルフクラブヘッド。
【請求項４】
請求項１ないし３のいずれか１項において、前記ホゼル下部のバック側の外面は半円筒形となっていることを特徴とするアイアン型ゴルフクラブヘッド。
【発明の詳細な説明】
【技術分野】
【０００１】
本発明は、ゴルフクラブヘッドに係り、詳しくは、ヘッド本体及びホゼルを有したアイアン型ゴルフクラブヘッドに関するものである。
【背景技術】
【０００２】
アイアン型ゴルフクラブとしては、フェアウェー、ラフ、バンカーなどからのショットや、ショートホール（パー３のホール）のティーショット等に主として用いられるアイアンクラブのほか、アイアンヘッドに近似した形状のヘッドを有したユーティリティクラブが用いられている。
【０００３】
アイアン型ゴルフクラブのヘッドは、ヘッド本体と、ヘッド本体に連なるホゼルとを有する。ヘッド本体は、ボールをヒットするためのフェース面を有する。従来のアイアン型ゴルフクラブヘッドでは、ヘッド本体のヒール側にホゼルが設けられ、このホゼルのホゼル孔にシャフトが挿入され、接着剤などの固着手段によって固着される。
【０００４】
特許文献１には、クラブシャフトの軸線を含み、クラブフェースと直交する平面でゴルフクラブを二分したとき、その両側の部分は、体積が異なっても重量が等しくできているゴルフクラブが記載されている。
【０００５】
特許文献２には、アイアンヘッドのバックフェースにホゼルを取り付けたアイアンヘッドが記載されている。
【０００６】
特許文献３には、ヘッドの重心点が、ヘッドのフェース面側からみてシャフト中心軸線の延長線上に置かれたゴルフクラブが記載されている。
【０００７】
特許文献４には、アイアンヘッドの打球面の裏側にソケットを取り付けたゴルフクラブが記載されている。
【０００８】
特許文献５には、打面とリンクするネックの部分がヒール端部に対して偏っているゴルフクラブが記載されている。
【先行技術文献】
【特許文献】
【０００９】
【特許文献１】特開平９−２２０３０１号公報
【特許文献２】特開平８−２９９５０４号公報
【特許文献３】特開平８−２８９９４３号公報
【特許文献４】実開平７−２４３５７号公報
【特許文献５】実開平６−１９７５８号公報
【発明の概要】
【発明が解決しようとする課題】
【００１０】
本発明は、ゴルフクラブをコントロールするための練習ができ、しかも通常のゴルフクラブと違和感なくスイングすることができるゴルフクラブのためのゴルフクラブヘッドを提供することを目的とする。
【課題を解決するための手段】
【００１１】
本発明のアイアン型ゴルフクラブヘッドは、フェース面及びそれと反対側のバック面を有するヘッド本体と、該ヘッド本体に連なるホゼルとを備えたアイアン型のゴルフクラブヘッドにおいて、該ホゼルは、ホゼル下部と、該ホゼル下部と異なる方向に延在するホゼル中間部と、該ホゼル中間部と異なる方向に延在するホゼル上部を有し、該ホゼル上部にホゼル孔が設けられ、前記ホゼル上部の外表面の延長領域内に前記ゴルフクラブヘッドの重心が位置することを特徴とするものである。
【００１２】
本発明の一態様では、前記ホゼルは前記ヘッド本体の前記バック面に連なっている。
【００１３】
本発明の一態様では、前記ホゼル下部及びホゼル中間部は、トウ側に傾斜した角度で上方に延在するトウ側傾斜部を含む。
【００１４】
本発明の一態様では、前記ホゼルは前記ヘッド本体のトップブレード上面に接している。
【００１５】
本発明の一態様では、前記ヘッド本体は、トウ・ヒール方向において前記ホゼルよりもヒール側に位置する部分を含む。
【００１６】
本発明の一態様では、前記フェース面にトウ・ヒール方向に延在したスコアラインが設けられており、前記スコアラインのトウ・ヒール方向の中心は前記ヘッド本体の前記重心に位置する。
【００１７】
本発明の一態様では、前記ホゼル孔の孔軸心線の延長線と前記ヘッド本体の前記重心との最短距離が１０ｍｍ以下である。
【発明の効果】
【００１８】
本発明のアイアン型ゴルフクラブヘッドは、ホゼル上部の外表面の延長領域内にゴルフクラブヘッドの重心が位置している。そのため、このゴルフクラブヘッドを備えたゴルフクラブは、ゴルフクラブヘッドの重心を感じやすく、ゴルフクラブをコントロールするための練習ができ、しかも通常のゴルフクラブと違和感なくスイングすることができる。
【図面の簡単な説明】
【００１９】
【図１】実施の形態に係るアイアン型ゴルフクラブヘッドの正面図である。
【図２】実施の形態に係るアイアン型ゴルフクラブヘッドの背面図である。
【図３】実施の形態に係るアイアン型ゴルフクラブヘッドの右側面図である。
【図４】図２のIV−IV線断面図である。
【図５】実施の形態に係るアイアン型ゴルフクラブヘッドの左側面図である。
【図６】実施の形態に係るアイアン型ゴルフクラブヘッドの平面図である。
【発明を実施するための形態】
【００２０】
以下、図１〜６を参照して実施の形態に係るアイアン型ゴルフクラブヘッド１について説明する。なお、図２（ａ）、（ｂ）はいずれもアイアン型ゴルフクラブヘッド１の背面図であり、図３（ａ）、（ｂ）はいずれもアイアン型ゴルフクラブヘッド１の右側面図であるが、図２（ａ）及び図３（ａ）では延長領域Ｅが図示され、図２（ｂ）及び図３（ｂ）ではホゼル１０の各部分の傾斜角度が示されている。図６（ａ）、（ｂ）はいずれもアイアン型ゴルフクラブヘッド１の平面図であるが、延長領域Ｅ及び重心を明示するために図６（ｂ）ではスコアラインの図示を省略している。
【００２１】
このアイアン型ゴルフクラブヘッド１は、ヘッド本体２と、ヘッド本体２に連なるホゼル１０とを有する。ヘッド本体２は、フェース面２ａと、バック側を向いたバック面２ｂとを含む。２ｃはヘッド本体２のトウ部、２ｄはヘッド本体２のヒール部を示す。２ｅはヘッド本体２の底面側を構成するソール部を示し、２ｔはヘッド本体２の上辺部を構成するトップブレードを示す。このアイアン型ゴルフクラブヘッド１は、キャビティ部１Ｃを有する。
【００２２】
フェース面２ａには、複数本のスコアライン３がトウ・ヒール方向に互いに平行に設けられている。各スコアライン３のトウ部２ｃ側のトウ側端部３ａは、トップ・ソール方向において揃っている。スコアライン３のうちソール部２ｅ側の複数本のもの（スコアライン３−１、３−２、３−３、３−４、３−５、３−６）は、それらのヒール部２ｄ側のヒール側端部３ｂが、トップ・ソール方向において揃っている。従って、スコアライン３−１〜３−６は同一長さを有している。フェース面２ａのうちこれらのスコアライン３−１〜３−６のトウ側端部３ａとヒール側端部３ｂとの間がスコアライン形成領域Ｓとなっている。
【００２３】
アイアン型ゴルフクラブヘッド１の正面図（図１）において、ゴルフクラブヘッド１の重心Ｇはスコアライン形成領域Ｓのトウ・ヒール方向の中心に位置している。即ち、スコアライン３−１〜３−６のトウ・ヒール方向の中心を通り、フェース面２ａと垂直な面内に重心Ｇが位置している。ゴルフクラブをアドレスする際に、スコアラインの中心にゴルフボールを合わせる事で、重心Ｇとゴルフボールの位置が合い、より重心の位置を意識したスイングをすることができる。
【００２４】
ホゼル１０は、ヘッド本体２のバック面２ｂのうちヒール部２ｄ近傍から上方に伸びている。図２，６の通り、ヘッド本体２の最もヒール側及びその直近のヒール近傍領域２Ｈは、ホゼル１０よりもヒール側に位置している。即ち、ヘッド本体２の一部であるヒール近傍領域２Ｈは、ホゼル１０よりもヒール側に位置する部分となっている。
【００２５】
ホゼル１０は、ヘッド本体２に連なるホゼル基部１１と、該ホゼル基部１１から上方に延びるホゼル上部１２とを含んでいる。ホゼル上部１２にホゼル孔１３が設けられている。ホゼル基部１１は、ホゼル下部１４と、該ホゼル下部１４の上部１４ｕに連なるホゼル中間部１５とを含んでいる。ホゼル中間部１５の上部１５ｕにホゼル上部１２が連なっている。
【００２６】
ホゼル下部１４及びホゼル中間部１５は、いずれもトウ部２ｃ側に傾斜した角度で上方に延びており、トウ側傾斜部１１Ｔとなっている。ホゼル下部１４及びホゼル中間部１５は、いずれもホゼル上部１２とは異なる方向に延在する。ホゼル基部１１の下端部１１ｅはヘッド本体２のバック面２ｂに連なっている。
【００２７】
アイアン型ゴルフクラブヘッド１の背面図（図２）において、アイアン型ゴルフクラブヘッド１がソールされた状態において水平面Ｐに対するホゼル下部１４のトウ側への傾斜角度θ１は、５０°以上特に５５°以上であり、８５°以下特に８０°以下であることが好ましい。
【００２８】
ホゼル下部１４は、バック側に傾斜した角度で上方に延びている。アイアン型ゴルフクラブヘッド１の右側面図（図３）において、アイアン型ゴルフクラブヘッド１がソールされた状態において水平面Ｐに対するホゼル下部１４のバック側への傾斜角度θ４は、３０°以上特に３５°以上であり、８０°以下特に７５°以下であることが好ましい。
【００２９】
ホゼル下部１４のバック側の外面１４ｆは半円筒形となっている。この半円筒形のホゼル下部１４の軸心線と平行であり、かつホゼル下部１４の外面１４ｆのうち最バック側の面（最バック面１４Ｍ）及びその上方への延長面Ｌは、図３において、上方ほどフェース面２ａに近づくように傾斜しているが、フェース面２ａと略平行にしてもよい。最バック面１４Ｍの延長面Ｌとフェース面２ａの延長面２ｆとの交差角度θ７は、適宜設定することができる。
【００３０】
ホゼル中間部１５は、ホゼル下部１４の上部１４ｕからフェース側へ傾斜した角度で上方に延びている。図３において、水平面Ｐに対するホゼル中間部１５の傾斜角度θ５は、３０°以上特に３５°以上であり、７５°以下特に７０°以下であることが好ましい。ホゼル中間部１５のうちホゼル下部１４直近のソール側の部分１５ｚはヘッド本体２のトップブレード２ｔの上面２ｔｆに接している。これにより、ホゼル重量の増加を抑制している。
【００３１】
ホゼル中間部１５は、ホゼル下部１４よりもさらにトウ側に傾斜した角度で上方に延びている。アイアン型ゴルフクラブヘッド１の背面図（図２）において、ホゼル中間部１５のトウ側への傾斜角度θ２は、適宜設定することができる。
【００３２】
ホゼル上部１２は、ヒール側に傾斜した角度でホゼル中間部１５の上部１５ｕから上方に延びている。アイアン型ゴルフクラブヘッド１の背面図（図２）において、水平面Ｐに対するホゼル上部１２の傾斜角度θ３は、５０°以上特に５５°以上であり、７５°以下特に７０°以下であることが好ましい。アイアン型ゴルフクラブヘッド１の右側面図（図３）において、水平面Ｐに対するホゼル上部１２の傾斜角度（バック側からの起立角度）θ６は、図３において、９０°であるが、少し傾けてもよい。
【００３３】
ホゼル上部１２の外表面１２ｆは、この実施の形態では円筒形である。この外表面１２ｆを、ホゼル孔の孔軸心線Ｃの軸方向に沿って延長した延長領域Ｅも円筒形となっている。アイアン型ゴルフクラブヘッド１の重心Ｇは、この円筒形の延長領域Ｅ内に位置している。また、ホゼル上部１２はソール側ほど小径となるテーパを有してもよい。その場合、孔軸心線Ｃ周りで最も寸法の大きい外表面１２ｆを、孔軸心線Ｃの軸方向に沿って延長した領域を延長領域Ｅとしてもよい。
【００３４】
ただし、ホゼル上部１２の外表面は円筒形に限定されるものではなく、六角形筒状、八角形筒状などの多角形筒状やその他の非円筒形状であってもよい。これらの非円筒形状の場合であっても、その外表面のソール側への延長領域Ｅ内に重心Ｇが位置する。
【００３５】
ホゼル孔１３は円筒形であるが、奥側ほど小径となるテーパを有していてもよい。ホゼル孔１３の孔軸心線Ｃの延長線とアイアン型ゴルフクラブヘッド１の重心Ｇとの最短距離は１０ｍｍ以下特に７ｍｍ以下であることが好ましい。この実施の形態では、孔軸心線Ｃ上にゴルフクラブヘッド１の重心Ｇが位置しており、孔軸心線Ｃはホゼル上部１２の外表面１２ｆの軸心と合致している。
【００３６】
このように構成されたアイアン型ゴルフクラブヘッド１は、通常のゴルフクラブヘッドと同程度の重量を保ちながら、孔軸心線Ｃ上又はその付近にゴルフクラブヘッド１の重心Ｇを有したものとなる。
【００３７】
このアイアン型ゴルフクラブヘッド１のホゼル孔１３にシャフトが挿入され、接着剤などの固着手段によって固着されることによりアイアン型ゴルフクラブが構成される。挿入されたシャフトの軸心線は、孔軸心線Ｃと一致するか、孔軸心線Ｃに対し少し傾斜してもよい。このゴルフクラブにあっては、ホゼル上部１２の延長領域Ｅ内にゴルフクラブヘッド１の重心Ｇが位置している。そのため、通常のゴルフクラブと比べ、ゴルフクラブヘッドの重心を感じやすく、ゴルフクラブをコントロールするための練習ができる。また、ゴルフクラブ重量は通常のゴルフクラブと同程度であるため、違和感なくスイングすることができる。
【００３８】
上記実施の形態は本発明の一例であり、本発明は図示以外の形態とされてもよい。
【符号の説明】
【００３９】
１  アイアン型ゴルフクラブヘッド
２  ヘッド本体
２ａ  フェース面
２ｂ  バック面
２ｔｆ  トップブレード上面
２Ｈ  ヒール近傍領域
３  スコアライン
１０  ホゼル
１１  ホゼル基部
１１Ｔ  トウ側傾斜部
１２  ホゼル上部
１３  ホゼル孔
１４  ホゼル下部
１４Ｍ  最バック面
１５  ホゼル中間部
【図１】
0006613643.tif 000002
【図２】
0006613643.tif 000003
【図３】
0006613643.tif 000004
【図４】
0006613643.tif 000005
【図５】
0006613643.tif 000006
【図６】
0006613643.tif 000007